(57)【特許請求の範囲】
【請求項１】
ブラインドと、
指令信号に応答して前記ブラインドを駆動制御する制御部と、
前記制御部に指令信号を与えることにより前記ブラインドを動作させるための、手操作可能なコントローラを含む電動ブラインドであって、
前記制御部は、前記ブラインドのスラットの開閉度を検出して前記コントローラに与えるための手段を含み、
前記コントローラは、
予め表示されたスラットの回転方向に対応して、スラットの開閉度を変化させるための操作手段と、
スラットの開閉度を段階的に表示するための、垂直方向に配列された複数個の表示素子と、
スラットの開閉度に応じたスラットの傾斜角度を前記表示素子に対応して補助的に表示するとともに、スラットの傾斜角度が水平の角度に対応した位置に太陽をイメージした印を該コントローラの前面に固定される印刷シートに補助的に表示する補助的表示手段と、
前記制御部により検出されたスラットの開閉度に応じて、前記複数個の表示素子の表示を制御するための手段とを備えた、電動ブラインド。
【請求項２】
前記コントローラは、別の電動ブラインドのコントローラと通信するための通信線が接続される接続ピンを有し、
前記接続ピンは、電話機の接続に使用される接続ピンの構成と同じ構成を有しており、
前記接続ピンの内部接続において、受話器の信号線に使用される接続ピンをグラウンド信号に割当てることを特徴とする、請求項１に記載の電動ブラインド。
【発明の詳細な説明】
【０００１】
【発明の属する技術分野】
本発明は、ビル、倉庫および住宅等の建物の窓に設置されて、キー入力による信号を送受信して遠隔操作をすることが可能な電動ブラインドに関し、特に、このような電動ブラインドをコントロールするために設置されているコントローラに関する。
【０００２】
【従来の技術】
最近では、事務所、会議室、店舗などの窓に設置される、電動化されたオートブラインドが種々提案されている。現在提案され、市販されているオートブラインドのコントローラには、ブラインドの上昇または下降を指令するためのスイッチと、スラット角度の調整のためのスイッチとが設けられている。しかし、ブラインドの位置表示やスラット角度の表示機構については表示がないものが一般的である。
【０００３】
その中で、スラット角度を表示するための機構を有する電動ブラインドとして、特開平２−１９７６８８号公報に開示されたものがある。図１４に、特開平２−１９７６８８号公報に開示されたコントローラの表示パネル部分を示す。図１４を参照して、このコントローラの表示パネル２００は、液晶表示パネル２０２を有している。液晶表示パネル２０２の上部にはブラインドの高さを表示するための、水平方向に配列された表示部２０４が設けられ、液晶表示パネル２０２の下部には、ブラインドのスラット開閉度を表示するための、水平方向に配列された複数の表示部２０８が設けられている。
【０００４】
図１４に示す例では、たとえば図示されないボタンを操作してブラインドを昇降させると、その高さに応じて表示部２０４内の１個が点滅表示し、同じくスラット開閉度を調整するための図示しないボタンを操作すると、表示部２０８のうちのスラットの開閉度に応じた１個が点滅表示される。
【０００５】
【特許文献１】
特開平２−１９７６８８号公報
【０００６】
【発明が解決しようとする課題】
上記した特開平２−１９７６８８号公報に開示された装置では、ブラインドのスラット開閉度を、表示部２０８の水平方向の位置で表示しているが、これは直観的にはスラット開閉度を把握しづらい表示方法であるという問題点があった。またその表示状態も、何を表示しているのかが直観的にはわかりにくいという問題点があった。さらにこの従来技術によるコントローラでは、コントローラ自身は壁取付型であって、室内装飾性から見て適切なものではないという問題点もあった。それにまたこうしたコントローラは、ブラインドの駆動制御部との間で通信を行なう必要があるが、通信を行なうために必要な設置工事で、特殊な部品を採用した場合には手配上多くの時間を要する上、工事もしづらいという問題点があった。そのために、汎用的な装置のための通信線、たとえば電話線と共通のものを使用することが考えられるが、その場合には誤って電話線などをこの装置のコネクタに挿入したりして、コントローラの回路を破損してしまうというおそれがあった。
【０００７】
それゆえに、この発明の目的の１つは、スラットの開閉度をより直感的にわかりやすく表示できるコントローラを有した電動ブラインドを提供することである。
【０００８】
この発明の他の目的は、装飾性に優れたコントローラを提供することである。この発明のさらに他の目的は、設置時の装飾性に優れた電動ブラインドを提供することである。
【０００９】
この発明のさらに他の目的は、電話機の接続に使用される接続ピンと同種の接続ピンと同じ構成であって、かつ誤って電話線を接続しても回路を破損する恐れのないコントローラを備えた電動ブラインドを提供することである。
【００１０】
【課題を解決するための手段】
この発明のある局面によれば電動ブラインドは、ブラインドと、指令信号に応答してブラインドを駆動制御する制御部と、制御部に指令信号を与えることによりブラインドを動作させるための、手操作可能なコントローラを含む電動ブラインドであって、制御部は、予め表示されたスラットの回転方向に対応して、スラットの開閉度を変化させるための操作手段と、スラットブラインドのスラットの開閉度を検出してコントローラに与えるための手段を含み、コントローラは、スラットの開閉度を段階的に表示するための、垂直方向に配列された複数個の表示素子と、スラットの開閉度に応じたスラットの傾斜角度を表示素子に対応して補助的に表示するとともに、スラットの傾斜角度が水平の角度に対応した位置に太陽をイメージした印を該コントローラの前面に固定される印刷シートに補助的に表示する補助的表示手段と、制御部により検出されたスラットの開閉度に応じて、複数個の表示素子の表示を制御するための手段とを備える。
【００１１】
複数の表示素子が垂直方向に配列され、スラットの開閉度に応じたスラットの傾斜角度を表示素子に対応して補助的に表示するとともに、スラットの傾斜角度が水平の角度に対応した位置に太陽をイメージした印が補助的に表示されるために、表示素子の表示の意味がよりわかりやすくなる。その結果、表示素子を用いてスラットの開閉度を表示させると、スラットの傾斜角度が直感的にわかりやすくなる。
【００１３】
また、印刷シートを用いて補助的な表示を行なうため、コントローラの前面に印刷されるシートのみを変更することにより多種多様なデザインのコントローラを提供することができる。したがって、装飾性に優れたコントローラを提供することができる。
【００１４】
好ましくは、コントローラが壁埋込式であることを特徴とする。
コントローラが壁埋込式であるために、壁取付け式のものと比べてより装飾性に優れたものとなる。
【００１５】
好ましくは、コントローラは、別の電動ブラインドのコントローラと通信するための通信線が接続される接続ピンを有する。この接続ピンは、電話機の接続に使用される接続ピンの構成と同じ構成を有している。さらにこの接続ピンの内部接続において、電話機の信号に使用される接続ピンをグラウンド信号に割当ている。
【００１６】
電話機の信号線に接続される接続ピンがグラウンド信号に割当てられているために、誤って電話機の通信線をその接続ピンに接続しても、電話機の信号によってコントローラの内部回路が破損される恐れがない。
【００１７】
【発明の実施の形態】
［実施の形態１］
図９に、本願発明の電動ブラインドにより構成されるシステムの設置例を示す。図９を参照して、このシステムは、複数個（本実施の形態の場合には９個）のブラインド装置Ｋ１〜Ｋ９を含んでいる（Ｋ３〜Ｋ８は図示せず）。これらブラインド装置は、４つのゾーン１〜４に分けられている（ゾーン２およびゾーン３は図示せず）。たとえばゾーン１はブラインド装置Ｋ１およびＫ２を、ゾーン２はブラインド装置Ｋ３およびＫ４を、ゾーン３はブラインド装置Ｋ５およびＫ６を、ゾーン４はブラインド装置Ｋ７、Ｋ８およびＫ９を、それぞれ含んでいる。
【００１８】
たとえばブラインド装置Ｋ１は、制御ユニットＰ１とブラインドＮ１とを含んでいる。以下述べるブラインド装置Ｋ１の構成は、他のブラインド装置Ｋ２〜Ｋ９においても同様である。ブラインドＮ１の上部には、ブラインドＮ１を駆動制御するための制御ユニットＰ１が収納されている。この制御ユニットＰ１には、信号線Ｑ１を介してコントローラＬ１が接続されている。ブラインド装置Ｋ１の制御ユニットＰ１は、リフティングテープ７２を上下させることによりブラインドＮ１を上下させる。
【００１９】
ブラインド装置Ｋ１にはゾーンコントローラＳが接続されている。この接続も信号線Ｑ１を介してのものである。ゾーンコントローラＳはシステムに１つのみ設けられる。
【００２０】
制御ユニットＰ１は、伝送線Ｍを介して他の制御ユニット、たとえばブラインド装置Ｋ２の制御ユニットＰ２に接続されている。
【００２１】
図１０に、この発明の実施の形態１に係る電子ブラインドシステムの概略構成図を示す。図１０に示すようにこのシステムは、前述のブラインド装置Ｋ１〜Ｋ９と、コントローラＬ１〜Ｌ９とを含む。ブラインド装置Ｋ１〜Ｋ９はいずれも、同一の伝送線Ｍに接続される。ブラインド装置Ｋ１〜Ｋ９はそれぞれ、ブラインドＮ１〜Ｎ９と、対応のブラインドを駆動制御するための制御ユニットＰ１〜Ｐ９とを含んでいる。ブラインド装置Ｋ１〜Ｋ９にはそれぞれ、対応のコントローラＬ１〜Ｌ９が、対応の信号線Ｑ２〜Ｑ９を介して接続されている。コントローラＬ１〜Ｌ９は、本システムに接続されているブラインド装置のいずれを制御することもできる。本実施の形態では電動ブラインドを９台接続してあるが、１０台以上の電動ブラインドを接続することも可能である。
【００２２】
本システムはさらに、伝送線Ｍに接続され、ブラインドシステム全体を制御するためのセンター装置Ｒを含んでいる。
【００２３】
以下、本願発明に特に関連する部分について詳細に説明する。図１１に、コントローラＬ１と制御ユニットＰ１、さらにゾーンコントローラＳの概略ブロック図を示す。ここではコントローラＬ１および制御ユニットＰ１を例として説明するが、他のコントローラ、制御ユニットおよびゾーンコントローラについても同様である。なお、このコントローラは、ＪＩＳ Ｃ ８３３６の小形１個用スイッチボックスに関する壁埋込式である。
【００２４】
制御ユニットＰ１は、商用電源から電源を各部に供給するための電源部１１６を含んでいる。制御ユニットＰ１はさらに、ブラインドＮ１を制御するためのさまざまな処理を行なうマイクロコンピュータ部８０と、ブラインドＮ１が上限に達したときに動作する上限スイッチ９８と、上限スイッチ９８の出力に基づいてブラインドＮ１が上限に達したことを検知してマイクロコンピュータ部８０にその信号を与えるための上限検知部１００と、図９に示すリフティングテープ７２の張り具合の変化に応じて、ブラインドの上昇もしくは下降中の障害を検知する障害スイッチ１０２と、障害スイッチ１０２の動作によって障害が生じたことを検知しその信号をマイクロコンピュータ部８０に与えるための障害検知部１０４と、ブラインドが下限に達したときに動作する下限スイッチ１０６と、下限スイッチ１０６の出力に基づいてブラインドが下限に達したことを検知しその信号をマイクロコンピュータ部８０に与えるための下限検知部１０８とを含んでいる。
【００２５】
制御ユニットＰ１はさらに、ブラインドの高さをエンコードする高さエンコーダ９０と、高さエンコーダ９０の出力によりブラインドの高さを検知しマイクロコンピュータ部８０にその信号を与える高さ検知部９２と、ブラインドのスラットの角度をエンコードする角度エンコーダ９４と、角度エンコーダ９４の出力に基づいてスラットの角度を検知しその信号をマイクロコンピュータ部８０に与える角度検知部９６と、マイクロコンピュータ部８０に接続され、制御ユニットＰ１の機器番号を設定するための機器番号設定部１１０と、マイクロコンピュータ部８０および伝送線Ｍに接続された伝送路信号送信部８６および伝送路信号受信部８８と、リフティングテープ７２を巻上げまたは降下させることによりブラインドＮ１を上昇または下降させるためのモータ８４と、マイクロコンピュータ部８０からの指令信号に応じてモータ８４を駆動するための駆動部８２と、コントローラＬ１と、ゾーンコントローラＳと、マイクロコンピュータ部８０に接続される応答信号入力部１１４および応答信号出力部１１２とを含んでいる。
【００２６】
コントローラＬ１は、マイクロコンピュータ部１４０と、制御ユニットＰ１の指令信号入力部１１４および応答信号出力部１１２に接続された応答信号入力部１４２および指令信号出力部１４４と、機器番号設定部１４６と、マイクロコンピュータ部１４０に対してキー入力を与えるキー入力部１４８と、ＥＥＰＲＯＭ記憶部１５０と、マイクロコンピュータ部１４０によりさまざまな情報を表示する表示部１５２とを含んでいる。キー入力部１４８および表示部１５２とが、本願発明が特に関連する部分であり、図１〜図８ならびに図１２および図１３を参照して後述する。
【００２７】
ゾーンコントローラＳは、マイクロコンピュータ部１２０と、制御ユニットＰ１の指令信号入力部１１４および応答信号出力部１１２に接続された応答信号出力部１２２および指令信号入力部１２４と、電源部１２６と、キー入力部１２８と、表示部１３０と、ＥＥＰＲＯＭ記憶部１３６とを含んでいる。ＥＥＰＲＯＭ記憶部１３６は、下限設定部１３２と、上限設定部１３４とを含んでいる。
【００２８】
制御ユニットＰ１は以下のように動作する。マイクロコンピュータ部８０は、高さ検知部９２、角度検知部９６、上限検知部１００、障害検知部１０４、下限検知部１０８、および指令信号入力部１１４、伝送路信号受信部８８からの入力に基づき、駆動部８２に対して信号を送出してモータ８４を駆動し、ブラインドＮ１の上昇、下降、停止、スラット開閉の動作を行なう。別の制御ユニットとの通信は伝送線Ｍを介して、伝送路信号送信部８６および伝送路信号受信部８８により行なわれる。伝送線Ｍは、電源線、信号線、グラウンド線からなる３線式である。
【００２９】
一方制御ユニットＰ１は、指令信号入力部１１４および応答信号出力部１１２を用い、信号線Ｑ１を介してコントローラＬ１およびゾーンコントローラＳと通信を行なう。信号線Ｑ１は、コントローラＬ１に電源を供給する電源線、信号線、グラウンド線の３線式である。
【００３０】
なお伝送路を介して他の機器と通信を行なう関係上、制御ユニットＰ１の機器番号を設定する必要がある。その機器番号は機器番号設定部１１０によって設定される。この機器番号設定部はスイッチなどにより構成される。
【００３１】
高さエンコーダ９０はブラインドの位置情報を検出し、この信号を高さ検知部９２で比較検出することにより高さの情報がマイクロコンピュータ部８０に与えられる。スラット角度は、角度エンコーダ９４により検出され、この信号が角度検知部９６により比較検出されてマイクロコンピュータ部８０に与えられる。上限スイッチ９８がＯＮすると、上限検知部１００が、ブラインドＮ１が上限に達したことを検知しその信号をマイクロコンピュータ部８０に与える。同様に下限スイッチ１０６がＯＮすると下限検知部１０８がその信号をマイクロコンピュータ部８０に与える。
【００３２】
ブラインドが上昇または下降しているときに、規定以下の負荷の状態になると、図９に示すリフティングテープ７２の張り具合が変化する。障害スイッチ１０２はこの張り具合の変化を検出し、障害検知部１０４が障害スイッチ１０２の出力を検知してその信号をマイクロコンピュータ部８０に与える。
【００３３】
ゾーンコントローラＳは次のように動作する。ゾーンコントローラＳは、液晶による文字表示部１３０を有し、キー入力部１２８の各キーを用いて、制御ユニットＰ１に設定されるべき上限、下限等をＥＥＰＲＯＭ記憶部１３６にセットする。これら情報は、制御ユニットＰ１およびコントローラＬ１への信号線Ｑ１を介してゾーンコントローラＳから送信される。また制御ユニットＰ１からの了解信号等は、指令信号入力部１２４で受信される。
【００３４】
コントローラＬ１は、次のように動作する。コントローラＬ１は、応答信号入力部１４２および指令信号出力部１４４を用いて、制御ユニットＰ１およびゾーンコントローラＳとの通信を行なう。
【００３５】
コントローラＬ１の機器番号は機器番号設定部１４６により設定される。コントローラＬ１の表示部１５２およびキー入力部１４８の外観を図１に示す。図１を参照して、コントローラＬ１の前面には、ＬＯＣＡＬキーのキーシート２６、ＯＰＥＮキーのキーシート２８、ＳＴＯＰキーのキーシート３０、ＣＬＯＳＥキーのキーシート３２、スラット正回転キーのキーシート２２、スラット逆回転キーのキーシート２４等が印刷された印刷シート４０が固定されている。スラット正回転キーおよびスラット逆回転キーは、スラットを開閉させる際に用いられるものである。これらキーを操作するとスラットがそれぞれ正方向および逆方向に回転してその角度が変わり、それによりスラットの開閉度が変化する。この印刷シート４０には、スラット開閉度を表示するための１５段階のＬＥＤの表示窓３４が垂直方向に配列されて形成され、さらに表示素子による表示窓３４の表示がスラットの開閉度を示すものであることを表示するための印刷３６および印刷３８が成されている。印刷３６は、スラットの開閉度を直線の角度で示したものであり、表示窓３４の表示位置と対応付けられて、スラット開閉度を補助的に表示している。また印刷３８は、スラットが水平の角度で最も直射日光の入ってくる面積が大きくなることを示すためのものであって、特別に太陽をイメージする印となっている。この印刷シート４０に形成されている印刷３６および３８と、表示窓３４内の表示素子の発光とで、スラットの開閉度が直観的に判断できるようになっている。なお発光窓３４は、発光素子ＬＥＤの開口部にあたる所に形成されている。したがってこの部分の印刷シートの印刷色を変えることにより、ＬＥＤの発光色の選択と併わせて複数の色を拡散、発光させることが可能である。
【００３６】
図２に、このコントローラＬ１のキートップと表示素子との樹脂成形品の開口部の正面図を示す。図６に、この樹脂成形品の開口部にはめ込まれる正面キャビネット６８の裏面図を、図７に側断面図を、それぞれ示す。図６に示される正面キャビネット６８の上に、図１に示す印刷シート４０が貼付けられる。この正面キャビネット６８を、図２に示す樹脂成形品の開口部にはめ込む。そしてこの樹脂成形品をＪＩＳ Ｃ ８３３６のスイッチボックスに固定する。図８にその断面図を示す。図６〜図８については後述する。
【００３７】
図２を参照してこのコントローラＬ１は、スラット正回転キー４２と、スラット逆回転キー４４と、ＬＯＣＡＬキー４６、ＯＰＥＮキー４８、ＳＴＯＰキー５０、ＣＬＯＳＥキー５２とを含み、さらに中央部にＬＥＤの開口部５４が形成されている。この開口部５４は、図１に示す印刷シート４０に設けられた発光窓３４と対応している。各キートップの下には基板に取付けられたスイッチがあり、キートップ上のキーシートを押すことによりそれらスイッチがＯＮしてマイクロコンピュータ部１４０に信号が入力される。開口部５４は、発光素子による発光の形状を制限し長円形にしている。図２に示されるように、この樹脂成形品の四隅には、正面キャビネット６８のつめを係合させるための開口５８が形成されている。
【００３８】
この開口部５４を含む、コントローラＬ１の断面を図３に示す。図３を参照して、開口部５４の奥にはプリント基板６０が設けられており、このプリント基板６０の、開口部５４側の面に、各開口部５４に対応して発光素子であるＬＥＤ６４が表面実装されている。このＬＥＤ６４は、キャビネット開口部５４によって発光が制限される。前述のとおり、スラットの開閉度を表示するために、ＬＥＤ６４は１５個使用され、垂直方向に配列される。このＬＥＤの数は、スラット開閉度を制御する制御ユニットＰ１のステップ数と、角度エンコーダからの演算結果との整合のために選択された数であって、この１５個のＬＥＤを用いた表示によりスラット開閉度の適切な制御量を表示することができる。
【００３９】
さらに図３を参照して、コントローラＬ１の背面には、外部との接続端子台であるモジュラーコンセント６２と、機器番号設定部のスイッチ６６とが設けられている。
【００４０】
図４に、コントローラＬ１を背面から見た図を示す。図４には、モジュラーコンセント６２および機器番号設定部のスイッチ６６が示されている。図４に示されるようにモジュラーコンセント６２は２連式である。このモジュラーコンセントには信号線Ｑ１が接続される。前述したとおりこの信号線Ｑ１は３線で構成されている。本実施の形態の場合には、モジュラーコンセント６２は各々６ピン式モジュラー式コンセントであって、信号線Ｑ１の接続のために２ピンずつが利用される。この詳細を図５に示す。
【００４１】
図５に示すように、２連式モジュラーコンセント６２において各モジュラーの１番および２番ピンは電源線に利用される。３番ピンおよび４番ピンはグラウンド線に利用される。５番ピンおよび６番ピンは信号線に利用される。なおこの配線方法は、ゾーンコントローラＳに対しても同様に適用される。
【００４２】
このような形式のモジュラーコンセントは、電話回線のためのモジュラーコンセントと同形状である。そのため電話回線のモジュラーが誤って挿入されるという可能性もある。しかし図５に示したような接続を行なっておけば、電話回線のモジュラーが万一誤って挿入されても、以下に述べるように機器には何ら損傷が発生しない。
【００４３】
一般公衆電話回線に用いられる配線は、３番ピンおよび４番ピンである。この２つのピンには、本実施の形態ではともにグラウンド信号が割当てられている。そのため電話回線のモジュラーがこのコントローラＬのモジュラーコンセント６２に挿入されても、電気的に短絡状態になるだけである。コントローラＬ側に対しては電圧は印加されない。そのためコントローラＬの回路が破壊されるおそれはない。また電話回線側に対しても電圧が印加されることはない。
【００４４】
なお実際の工事にあたっては、端子体にゴミ、埃が入らないように保護カバーをつけ、ここに誤配線をすることがないように注意事項を記載するべきである。
【００４５】
なお電話回線が上述のように短絡したとしても、電話交換器には内部抵抗分があるので、電話回線が破損することもない。また図５に示されるようにモジュラーコンセントは２つとも並列接続であって同じ内容である。したがってモジュラーの挿入はどちらを利用してもよい。信号線の延長または分岐は、このモジュラー端子体を利用して、埋込であっても簡単に工事することができる。また同じモジュラーが２個並列にあり、どちらでも電気的に同じ態様であるので、延長工事の配線作業において間違いが発生することはなく、短時間で工事することが可能になる。さらにこのモジュラーは汎用性があるので、部品調達を簡単に行なうことができるという効果もある。またこのように２個並列のモジュラーで、２つとも同じ内容であるので、ゾーンコントローラＳと、コントローラＬ１と、制御ユニットＰ１とを接続するときに、その接続の順番を考慮する必要がないという効果もある。つまり制御ユニットＰ１、ゾーンコントローラＳ、コントローラＬ１の順番に接続することも可能であり、さらに制御ユニットＰ１、コントローラＬ１、ゾーンコントローラＳの順番に接続することも可能である。
【００４６】
図６を参照して、正面キャビネット６８はその中央に長方形の開口部を有している。図６および図７に示すように、正面キャビネット６８の裏面の四隅には、正面キャビネット６８を図２、図３および図４に示す樹脂成形品に固定するための爪７０が形成されている。この爪７０を、上記したコントローラＬ１の樹脂成形品の開口５８に挿入し係合させることで正面キャビネット６８を樹脂成形品に取付ける。
【００４７】
図８を参照して、コントローラＬ１の正面には、壁の地肌と正面キャビネット６８との間を飾るための化粧用装飾品である化粧カバー７２が、印刷シート４０を露出するようにネジ７８を用いて取付けられる。そしてこのコントローラＬ１を、ネジ７７を用いてＪＩＳ Ｃ ８３３６のスイッチボックス７４に固定する。このスイッチボックス７４は壁に埋込まれて設置される。なお、信号線Ｑ１は、コントローラＬ１の背面の出入口７６から引き出される。
【００４８】
［実施の形態２］
図１２に、本願発明の実施の形態２に係るコントローラＬ１′の印刷シートを示す。図１２を参照してこの印刷シート１８０はキーシート１６２、１６４、１６６、１６８、１７０および１７２（それぞれ図１のキーシート２２、２４、２６、２８、３０および３２に相当）が印刷されており、さらに、ブラインドのスラット形状に合わせて発光素子の表示が行なわれるように形成された発光窓１７０を有している。この印刷シート１８０を取り去った表示開口部の正面図を図１３に示す。図１３においてキートップ１８２、１８４、１８６、１８８、１９０および１９２はそれぞれ、図２のキートップ４２、４４、４６、４８、５０および５２に対応する。また爪１９６は図２の爪７０に対応する。このコントローラＬ１′はさらに、図１２の発光窓１７０と同形状に形成された開口部１９４を有している。この開口部１９４が、ブラインドの、対応の開閉時のスラット形状を模倣して形成されており、かつ開口部１９４の奥には、上述のとおりＬＥＤが配置されている。
【００４９】
図１３の形状の表示開口部上に図１２に示す印刷シート１８０を貼り付け、さらにスラットの開閉度に応じた開口部および表示窓を通してＬＥＤを発光させると、当該スラットの開閉度に応じた形状部分のＬＥＤの光が表示される。スラットの開閉度が、その開閉度に対応するスラットの形状によって表わされるので、実施の形態１のような印刷物による補助的表示がなくとも、スラット開閉度の表示を直観的に理解することができる。なお図１２および図１３に示す表示開口部と表示窓との形状は、対応するスラットの角度に応じて異なる方向または傾斜を有する同一の形状（スラットを側面から見た形状）と考えることもできるし、対応するスラットの角度に応じた異なる形状ということもできる。もちろん、これら形状、方向または角度は、スラットの形状を直観的に把握可能な限り任意のものとすることができる。
【００５０】
以上のように本願発明によれば、スラットの開閉状態を、垂直方向に配列された表示素子の発光状態によって表示する。またそのときの表示素子の発光窓を、対応するスラットの角度に応じて異なる方向または傾斜を有する同一の形状としたり、対応するスラットの角度に応じた異なる形状としている。そのため直観的にスラットの開閉度を知ることができる。さらにスラットの開閉度を表示素子で表わすとともに、対応する開閉度を印刷物で補助的に表示することにより、スラットの開閉状態をよりはっきりと、誤解なく確認することができる。また発光素子上の印刷シートのうち、表示窓に対応する部分の印刷物のインクをさまざまな色に変化させることにより、スラットの開閉度を表わす発光表示をさまざまに変化させることができる。たとえば実際のブラインドに近い色を選択したりすることにより、ブラインドとの一体感を表わしたりすることができる。また設置場所に合った印刷シートを選択することにより、印刷シートとして色々な色彩を有するものを選択することができ、コントローラと周囲環境との整合を図ることができる。
【００５１】
なお、本発明は上述の実施の形態には限定されず、特許請求の範囲に記載された事項の範囲内でさまざまに変化して実施することが可能なことは言うまでもない。
【図面の簡単な説明】
【図１】  本発明の実施の形態１にかかる電動ブラインドのコントローラの印刷シートの平面図である。
【図２】  本発明の実施の形態１にかかる電動ブラインドのコントローラの表示開口部の正面図である。
【図３】  本発明の実施の形態１にかかる電動ブラインドのコントローラの側断面図である。
【図４】  本発明の実施の形態１にかかる電動ブラインドのコントローラの背面図である。
【図５】  本発明の実施の形態１にかかる電動ブラインドのコントローラにおけるモジュラーおよびその接続関係を模式的に示す図である。
【図６】  本発明の実施の形態１にかかる電動ブラインドのコントローラの正面キャビネットの裏面図である。
【図７】  本発明の実施の形態１にかかる電動ブラインドのコントローラの正面キャビネットの側断面図である。
【図８】  本発明の実施の形態１にかかる電動ブラインドのコントローラをＪＩＳ Ｃ８３３６のスイッチボックスにはめ込んだ状態の側断面図である。
【図９】  本願発明のシステム設置例を模式的に示す図である。
【図１０】  本願発明のシステム図である。
【図１１】  本願発明の各コントローラと制御ユニットとの概略ブロック図である。
【図１２】  本願発明の実施の形態２で用いられるコントローラの印刷シートを示す正面図である。
【図１３】  本願発明の実施の形態２で用いられるコントローラの表示開口部を示す正面図である。
【図１４】  従来の電動ブラインドで用いられているコントローラの表示パネルの平面図である。
【符号の説明】
Ｌ１〜Ｌ９ コントローラ、Ｓ ゾーンコントローラ、Ｐ１〜Ｐ９ ユニット制御部、２２、１６２ スラット正回転キーシート、２４、１６４ スラット逆回転キーシート、４２、１８２ スラット正回転キー、４４、１８４ スラット逆回転キー、３４、１７４ 表示素子の表示窓、５４、１９４ 表示素子の開口部、６４表示素子（ＬＥＤ）。
【図１】
0003693645.tif 000002
【図２】
0003693645.tif 000003
【図３】
0003693645.tif 000004
【図４】
0003693645.tif 000005
【図５】
0003693645.tif 000006
【図６】
0003693645.tif 000007
【図７】
0003693645.tif 000008
【図８】
0003693645.tif 000009
【図９】
0003693645.tif 000010
【図１０】
0003693645.tif 000011
【図１１】
0003693645.tif 000012
【図１２】
0003693645.tif 000013
【図１３】
0003693645.tif 000014
【図１４】
0003693645.tif 000015